(57)【要約】【課題】宇宙空間における引力の働く速さは、光の速さと同じであると言われているけれども、引力が光の速さで働いている場合、いろいろな問題が発生する事が予測されるため、引力の働く速さを測定する事を図ったものである。【解決手段】本発明は、観測地点に南北に二本の垂直線を設け、二本の垂直線の延長線上に太陽の中心が合致した時間と、太陽から地球までの光の届く時間を差し引いた時間の二つの時間に、観測地点に設けたスプリングから吊るした重りと重りの下側に設置した距離測定装置により、引力の働く速さを測定することを図ったものである。【選択図】図１
2006308537.tif 000002
【特許請求の範囲】
【請求項１】
観測地点の南北に連なる垂直線上に太陽の中心が合致した時間を基準にして観測地点に温度を一定に保った空間を設け、その中で吊り下げたスプリングの下側に取り付けた重りと、その下側に設置した距離測定装置により、太陽が重りに与える引力の変化を捕らえて、引力の進む速さを測定する引力測定装置。
【請求項２】
観測地点の南北に連なる垂直線上に太陽の中心が合致した時間を基準にして観測地点に温度を一定に保った空間を設け、その中に二つの容器を設置して、その二つの容器の下側をパイプでつなぎ、片方の容器の上部は筒状にして筒状部分の中ほどまで液体を入れ、片方の容器には空気を入れて液体の移動のクッションに使い、その筒状の中の液面の上部には測定板をつけ、下部には重りをつけた浮を浮かせ、測定板の上部には距離測定装置を設置し、太陽の引力の変化により液体とともに測定板の位置の変化を距離測定装置で捕らえて、引力の進む速さを測定する引力測定装置。
【請求項３】
観測地点の南北に連なる垂直線上に太陽の中心が合致した時間を基準にして観測地点に温度を一定に保った空間内に櫓を組み、櫓から吊り下げたスプリングの下側に吊るした重りを重りの下側に設置した光を送る装置と、その光を受けて光の量を測定する装置を設置し、その光を送る装置と光を受けてその光を測定する装置の間に吊るしてある重りの一部を介在させ、太陽の引力の変化で上下する重りによって光の通過する量の変化を光の量を測定できる装置により測定を行い、引力の働く速さを測定する引力測定装置。
【請求項４】
観測地点の南北に連なる垂直線上に太陽の中心が合致した時間を基準にして観測地点に温度を一定に保った空間を設け、その中に二つの容器を設置し、二つの容器の下部をパイプでつなぎ、片方の容器の上部は筒状にして筒の中ほどまで液体を入れ、片方の容器には空気を入れて液体のクッションに使い、筒状の中の液面の上部には光を遮断するための部材と下部には重りを取り付けた浮を浮かせて、上部に取り付けた光を遮断するための部材を、光を送る装置と光を受け止めて光の量を測定する装置の間に介在させ、太陽の引力の変化によって上下する光を遮断する部材によってさえぎられた光の量を測定し、太陽から受ける引力の頂点を測定し、引力の働く速さを測定する引力測定装置。
【発明の詳細な説明】
【技術分野】
【０００１】  本発明は、引力の働く速さを測定するためのものであり、詳しくは太陽と地球の空間及び宇宙空間の星と星、物体と物体の間で働く引力の速さを測定するための装置を使って測定を行うことに関するものである。
【背景技術】
【０００２】  従来、引力の働く速さは光の速さと同じであるとされていて、正確な測定が行われていないものと思われ、そのため納得できないことが多くあり、引力の働く速さの正確な測定を行いたいと思い、測定するための手段を提供することを目的とするものである。
【発明の開示】
【発明が解決しようとする課題】
【０００３】  引力の働く速さが光の速さと同じであるとされている現在であるけども、確証されていないため引力の働く速さを測定するための装置を提供するものである。引力の働く速さがはっきりすれば今まで進んでいなかった新分野での発展が期待できるもので、必要な課題である。
【課題を解決するための手段】
【０００４】  上記目的を達成するために、請求項１に係る発明は、地上に観測地点を定め、観測地点には二つの櫓を組み、櫓からはそれぞれ重りをつけた糸を吊り下げ、吊り下げた二本の糸が正確に南北になる様に調整を行い、吊り下げた糸と糸の延長線上に太陽の中心が合致した時間と、太陽から地球までの光の届く時間を差し引いた時間の二つの時間の引力の働く速さの測定の準備を行う一方、観測地点の地下に空間を設け、温度を一定に保った空間に櫓を組み、櫓の上部からスプリングを吊り下げ、スプリングの下部には重りを取り付け、重りの下側には少し間を空けて距離測定装置を設置し、太陽の引力により変化するスプリングの下側に取りつけてある重りの動きを重りの下側に設置してある距離測定装置と重りとの距離を測って、太陽が重りに及ぼす引力の動きを捕らえて測定を行うものである。
太陽の位置が南北に吊るした二本の糸の垂直線の延長線上に中心が合致した時間と、太陽から地球までの光の届く時間を差し引いた時間の二つの時間に測定を行うことで引力の働く速さがわかる。櫓から吊るした二本の糸の延長線上に太陽の中心が合致した時間に、地下空間の櫓から吊るした重りの下側に設置してある距離測定装置の値が頂点を示し、太陽の中心が糸と糸との延長線の中心から離れるにしたがって、一秒ごとに重りと距離測定装置の値が下がるのであれば、それは引力と光の速さが同じであることになる。また、太陽から地球までの光の届く速さ分の時間を差し引いた時間に、重りと距離測定装置の値が頂点を示した後、一秒ごとに距離測定装置の値が下がっていくのであれば、それは太陽と地球の間の引力が働く速さは０タイムである証明となる。また、垂直線と太陽の中心が合致した時間と太陽から地球までの光の届く時間を差し引いた時間のどちらでもない時間に測定値が頂点を示した場合は、新しい、引力の働く速さの証明となる。
また、太陽の引力を測定する場合に、月の引力の影響が大きいので、月の引力の影響を少なくするために、観測地点を北極側から見て、観測地点の水平線上に月の位置が合致した時間が、観測地点の重りに対しての影響が一番少ないと思われるけれども、観測するチャンスが少ないため、観測地点の垂直線上に太陽の中心が合致した時間と、光の速さ分の時間を差し引いた時間の二つの時間に、月が観測地点の水平線上に一番近い所にある月の位置の中から、水平線の東側にあるものと西側にあるものの中から一つづつ水平線からの同じ距離の月のデータを選び出して、二つのデータを足して２で割れば正確なデータをつかむことができる。【０００５】  また、請求項２に係る発明は、地上に観測地点を定め、観測地点には二つの櫓を組み、櫓からはそれぞれ重りを付けた糸を吊り下げ、吊り下げた二本の糸が正確に南北になるよう調整を行い、吊り下げた糸と糸との延長線上に太陽の中心が合致した時間と、太陽から地球までの光の届く時間を差し引いた時間の二つの時間の引力の働く速さの測定の準備を行う一方、観測地点の地下に温度を一定に保った空間を設け、空間に二つの容器を設置し、容器の下部は液体又は空気が通るための配管を行い、液体又は空気の移動を可能にするよう設置を行い、片方の容器の上部は筒状に加工を行い、筒状部分の中ほどまで液体を入れ、筒状部分の中には上部に感知板を取りつけ、下部には重りを付けた浮を浮かせ、感知板の上部には距離測定装置を設置し、太陽の位置の変化による容器の中に入っている液体の重さの変化によって、容器の中に入っている空気がクッションになり、水位が変化し、浮と共に感知板も上下するため、その変化を距離測定装置により測定を行うものである。
櫓から吊るした二本の糸の延長線上に太陽の中心が合致した時間と、太陽から地球に届く光の速さ分の時間を差し引いた時間の二つの時間に測定を行うものである。観測地点の地下に、温度を一定に保った空間に設置してある二つの容器の筒状部分に、浮と共に浮かせてある感知板の上部に設置してある距離測定装置により、太陽の位置の変化により液体と共に上下する感知板の位置の頂点を距離測定装置により測定を行うものである。太陽の中心が二本の糸の延長線上に合致した時間に感知板と距離測定装置の値が一番高い数値が記録された場合、それは光の速さと引力の働く速さは同じであるということになる。また、太陽から地球までの光の届く時間を差し引いた時間に感知板と距離測定装置の値が一番高い数値が記録された場合、それは太陽から地球の間を０タイムで引力が働いたことになる。【０００６】  また、請求項３に係る発明は、地上に観測地点を定め、観測地点には二つの櫓を組み、櫓からはそれぞれ重りを付けた糸を吊り下げ、吊り下げた二本の糸が正確に南北になるように調整を行い、吊り下げた糸と糸との延長線上に太陽の中心が合致した時間と、太陽から地球までの光の届く時間を差し引いた時間の、二つの時間の引力の働く速さの測定の準備を行う一方、観測地点の地下に空間を設け、温度を一定に保った空間に櫓を組み、櫓の上部からスプリングを吊り下げ、スプリングの下部には重りを取りつけ、重りの下側には光を送る器具とその光を受けて光の量を測定する器具を設置し、光を送る器具と光を受けて光の量を測定する器具の間にスプリングに吊るした重りの一部を介在させて、太陽の引力の変化によって上下する重りによって遮断される光の量の頂点を測定し、引力の働く速さを測定するものである。【０００７】  また、請求項４に係る発明は、地上に観測地点を定め、観測地点には二つの櫓を組み、櫓からはそれぞれ重りを付けた糸を吊り下げ、吊り下げた二本の糸が正確に南北になるように調整を行い、吊り下げた糸と糸との延長線上に太陽の中心が合致した時間と、太陽から地球までの光の届く時間を差し引いた時間の、二つの時間の引力の働く速さの測定の準備を行う一方、観測地点の地下に空間を設け、温度を一定に保った空間に二つの容器を設置し、容器の下側を配管でつなぎ、液体又は空気の移動を可能にして、片方の容器の上部には筒状にして筒の中ほどまで液体を入れ、片方の容器には空気を入れて液体のクッションに使い、筒状部分の上部には、光を送る器具とその光を受けて光の量を測定する器具を設置し、筒状部分の液面には浮を浮かせ、浮の下部には重りが付けてあり、上部には光を遮断するための部材が取り付けてあり、部材は光を送る器具と光を受けて光の量を測定する器具の間に介在させ、太陽の引力の変化で上下する水位により、浮と共に上下する部材により光を遮られるため、光を受けて光の量を測定する器具は送られてくる光の量が少なくなり、少なくなった光の量の頂点が観測地点に吊るしてある二本の糸の延長線に太陽の中心が合致した時間と同じであれば、それは引力の働く速さは光の速さと同じである。
また、観測地点に吊るしてある二本の糸の延長線上に太陽の中心が合致した時間から、太陽から地球に光が届く時間を差し引いた時間に光の量を測定する器具が頂点を示した場合、それは引力の働く速さは太陽と地球の間を０タイムで働いていることの証明になる。
【発明の効果】
【０００８】  上記のように本発明は、引力の働く速さを測定するためのものであり、観測地点に南北に吊るした二本の糸の延長線上に太陽の中心が合致した時間を基準にして、引力の働く速さを測定するものであるが、地上に設けた太陽の位置測定装置と温度を一定に保った空間に太陽の位置の変化によって観測地点における引力の変化を利用して、太陽が観測地点の物体にどのような変化を与えているかを精密に測定を行うことで引力の働く速さが解るものである。社会において一つの事が解明される事で他方面での利用が期待されるものである。
【発明を実施するための最良の形態】
【０００９】  以下、添付図面を参照にして、本発明の形態につき説明し、本発明の理解に供する。尚、以下の実施の形態は、本発明の具体的な一例であって、本発明の技術的範囲を限定する性格のものではない。ここに図１は、本発明の一実施の形態に係る、地上における太陽観測のための基点であり、観測地点の南北に連なる垂直線を測定するためのものである。図２は、地下の空間に設置した、櫓とスプリングと重りと温度計と距離測定装置である。図３は、太陽と地球と月を北極側から見た図である。図４は、太陽の位置と重りと距離測定装置の距離と時間と温度と年月日を一度に記録するためのものである。図５、は二つの容器の中に入れた空気と液体が太陽の引力の変化による水位の変化を捕らえて、引力の働く速さを測定するためのものである。図６は、櫓から吊り下げた重り１９の下側に光を送る器具と、光を受けて光の量を測定する器具の間に重りの一部を介在させて、通過する光の量を計って、引力の働く速さを測定するものである。図７は、二つの容器の中に入れた空気と液体が太陽の引力の変化によって生じる水位の変化を捕らえて、部材の一部を、光を送る器具とその光を受けて光の量を感知する器具の間に介在させ、光の通過する量を測定し、引力の働く速さを測定するものである。
本発明の一実施の形態に係る引力測定装置は、宇宙における物体と物体との間で働いている引力の働く速さを測定するためのもので、図１は観測地点に組み立てた、櫓１４から吊り下げた糸５と重り１２があり、櫓１５から吊り下げた糸７と重り１３があり、糸５と糸７の上部は糸６で繋いであり、南北と垂直を測定できる装置である。望遠鏡１０により、櫓から吊り下げた糸５と糸７の中心を北極に合わせて南北を定め、吊り下げた糸５側から糸５と糸６の中心と太陽の中心が合致した時間を測定し、太陽から地球までの光が届く時間を差し引いた時間と、太陽から地球までの光が届く時間を差し引かない時間との二つの時間に測定を行うものである。測定を行うには、図２で示す櫓からスプリング１８が吊るしてあり、スプリングの下側には重り１９が吊るしてあり、重り１９の下側には少し間を開けて、その下側に距離測定装置２０を設置してあり、太陽の位置の移動により微妙に変化する引力を重り１９が受けるため、その変化を距離測定装置２０が感知し、数値にして図４の表示板３１に表示するものであり、太陽の中心が図１で示す南北の垂直線の延長線上に合致した時間に、距離測定装置又は光を受けて光の量を測定する装置の数値が頂点を示し、頂点を過ぎた後は１秒ごとに数値が下がっていくのであれば、それは光の速さと引力の働く速さが同じであるということになる。また、垂直線の延長線上に太陽の中心が合致した時間から、太陽から地球までの光の届く時間の差を差し引いた時間に、距離測定装置又は光を受けて光の量を測定する装置の値が頂点を示し、頂点を過ぎた後は１秒ごとに数値が下がっていくのであれば、それは引力の働く速さは光の速さよりも速く、太陽と地球の間を０タイムで働いている事になる。
また、距離測定装置又は光の量を測定する装置の値が光の速さ分の時間を差し引いた時間と、光の速さ分の時間を差し引かない時間との中間あたりのいずれかの時間に示す値が頂点を示した場合は、引力の働く速さは光と同じ速さでもなく、太陽と地球の間を０タイムで働くのでもなく、新しい速さが記録されたことになる。
【実施例】
【００１０】  上記実施の形態は、引力の働く速さを測定するために、図１で示す櫓１４と櫓１５から重りを付けて吊るした二本の糸の上部と上部を糸で繋ぎ、糸５と糸６の中心の延長線と太陽の中心が合致した時間を測定し、その時間を基準にして引力の働く速さを測定するものである。
一方、２図で示す観測地点の温度の一定したところに空間を設け、空間には櫓を設けてスプリングを吊るし、スプリングの下側には重りを取り付け、重りの下側には少し間をあけて距離測定装置２０を設置して、太陽の位置の変化によって重り１９に与える引力の変化を距離測定装置２０により重り１９との間隔の変化を捕らえて、引力の働く速さの測定を行うものである。
また、糸５と糸６の中心と太陽の中心が合致した時間に太陽から地球までの光の届く時間を差し引いた時間に重り１９に与える引力の変化を測定し、距離測定装置２０で感知した値が頂点を示した場合は、太陽と地球の間を引力は０タイムで働いたことになり、また、糸５と糸６の中心と太陽の中心が合致した時間に測定装置の値が頂点を示した場合は、光の速さと引力の働く速さは同じであると言える。【００１１】  上記実施の形態は、引力の働く速さを測定するために、図１で示す櫓１４と櫓１５から重りを付けて吊るした二本の糸を正確に南北になるように調整を行い、吊るした二本の糸の上部と上部を別の糸で繋ぎ、糸５と糸６の中心の延長線と太陽の中心が合致した時間を測定し、その時間を基準にして引力の働く速さを測定するものである。
一方、図５で示すものは、容器３５と容器３９と距離測定装置２０を地下空間の温度の一定したところに設置し、容器３５と容器３９の下部には液体又は空気の通るための配管を行い、液体又は空気の移動を可能にし、容器３９の上部には浮４４の上下移動が可能になるように筒状にした容器３９の中に液体を入れ、水位を筒状部分４６の位置まで入れ、筒状部分の中に、上部には感知板４７を、下部には重り４１をつけた浮４４を浮かべ、感知板４７の上部には距離測定装置２０を設置し、太陽の位置の変化による容器３９の中に入っている液体４０の重さの変化によって、容器３５の中に入っている空気がクッションになり水位４６が変化するため、浮４４と共に感知板４７も上下するので、その変化を距離測定装置２０により測定を行うものである。
上記図１で示す櫓１４と櫓１５から重りを付けて吊るした二本の糸の上部と上部を繋いだ糸６と糸５の延長線上の中心と太陽の中心が合致した時間を基準にして、距離測定装置２０により感知板４７との距離を測定して、引力の働く速さを測定するものである。糸６と糸５の延長線上に太陽が合致した時間に距離測定装置２０により距離表示板３１に表示される値が最高の数値が表示された場合、それは光の速さと引力の働く速さは同じであることを証明するものである。また、糸６と糸５の延長線上に太陽の中心が合致した時間から太陽から光が地球に届く時間を差し引いた時間に、距離測定装置２０により距離表示板３１に表示される値が最高の数値が表示された場合、それは引力は光の速さよりも速く、太陽と地球の間を０タイムの速さで働いていることになる。また、太陽の位置が観測地点の二本の糸の延長線上に合致した時間と、太陽から地球までの光の届く時間を差し引いた時間と二つの時間の前後の時間も測定を行うことが必要である。
【産業上の利用可能性】
【００１２】  引力の働く速さがはっきりした場合は、宇宙開発においても、社会においても利用価値があり、社会の発展に役立つものである。
【図面の簡単な説明】
【００１３】
【図１】南北と南北の垂直線を測定するための側面図
【図２】地下空間に設置した櫓とスプリングと重りと距離測定装置と温度計であり、一部断面図
【図３】北極側から見た太陽と地球と月の図
【図４】テレビ画面と距離数値盤と温度数値盤と時計と年月日を一度に記録するための表示盤の図
【図５】二つの容器と浮と感知板と距離測定装置の側面図であり、一部断面図
【図６】重りの位置の変化を感知して測定を行うための図
【図７】水位の変化を光で捕らえて測定するための図
【符号の説明】
【００１４】１…北極
２…太陽
３…地球
４…月
５…櫓から吊り下げた糸
６…櫓から吊り下げた糸５と糸７を繋いだ糸
７…櫓から吊り下げた糸
８…望遠鏡と糸７と糸５と北極を結ぶ線
９…望遠鏡と糸５と糸６と太陽を結ぶ線
１０…望遠鏡
１１…望遠鏡
１２…重り
１３…重り
１４…櫓
１５…櫓
１６…枠
１７…櫓
１８…スプリング
１９…重り
２０…距離測定装置
２１…重りと距離測定装置との空間
２２…距離測定装置及び光の量を測定する装置と表示盤３１を繋ぐコード
２３…温度計
２４…温度計と温度数値盤を繋ぐコード
２５…地下空間の天井
２６…地下空間の床面
２７…地下空間
２８…観測地点の水平線
２９…テレビ画面の中心であり、南北の垂直線の延長線
３０…テレビ画面
３１…距離測定装置及び光の量を測定する装置の表示盤
３２…温度計の表示盤
３３…時計
３４…年月日の表示盤
３５…容器
３６…空気の入るための空間
３７…液体の表面
３８…容器と容器を繋ぐ配管
３９…容器
４０…液体
４１…重り
４２…浮と重りを繋ぐアーム
４３…筒状になった部分
４４…浮
４５…感知板と浮を繋ぐアーム
４６…水位
４７…感知板
４８…感知板と距離測定装置の空間
４９…重り１９の突起部分
５０…光の通る部分
５１…電源コード
５２…光を送る器具
５３…光を受けて光の量を測定する器具
５４…光を遮断する部材
５５…月の軌道
【図１】
2006308537.tif 000003
【図２】
2006308537.tif 000004
【図３】
2006308537.tif 000005
【図４】
2006308537.tif 000006
【図５】
2006308537.tif 000007
【図６】
2006308537.tif 000008
【図７】
2006308537.tif 000009